(57)【要約】【課題】電気接点上に酸化物が付着しても、新しい接触部が接触するようにし、電気接点の導通を確保できる車両用スイッチ及びリレー等の電気接点である。【解決手段】電気接点１上に微細な凹凸３ａ、３ｂを設け、可動接点又は固定接点の一方を傾けて接触させ、最初に接触する微細な凹凸部３ａは凹凸の深さを深く、凸部を潰れやすくし、最後に接触する部分３ｂは凹凸を浅くした電気接点のＯＮ・ＯＦＦを繰り返し、接点荷重等により、順次、微細な凸部が潰れていき、新しい凸部が接触するようにしている。【選択図】図２
2007294216.tif 000002
【特許請求の範囲】
【請求項１】
表面上に微細な凹凸を有した対向する可動接点と固定接点とを備え、上記可動接点の凸部と上記固定接点の凸部は、接触動作の繰り返しにより順次、微細な一方の凸部を潰し、新しい他方の凸部を接触させることを特徴とする電気接点。
【請求項２】
対向する可動接点と固定接点を非平行に配置して備えた請求項１記載の電気接点。
【請求項３】
可動接点または固定接点の少なくとも１つは、一方から他方に向けて次第に凸部高さが低くなるように形成したことを特徴とする電気接点。
【発明の詳細な説明】
【技術分野】
【０００１】
本発明は、主に自動車のブレーキペダル操作時の、ストップランプの消点灯制御等に用いられる車両用スイッチ及びリレー等の電気スイッチにおける電気接点に関するものである。
【背景技術】
【０００２】
従来、この種の電気接点は、図８に示されるような構成を有していた。
【０００３】
図８は従来の電気接点の斜視図である。
【０００４】
図８において、２は銅材等の導電性材料からなる導電板であり、この導電板２には表面が球状、曲面状又は平面状等を有した電気接点９が、かしめ又は溶接等で取り付けられている。
【０００５】
図９は従来の電気接点の接触状態を表した側面図である。
【０００６】
図９に示すように、導電板２に取り付けられている電気接点９が、もう一方の導電板２に取り付けられている電気接点９と接触している。電気接点９の接触部は球状、曲面状又は平面状になっているため、電気接点９の一箇所だけで電気的な接続をするようになっている。
【０００７】
なお、この出願の発明に関する先行技術文献情報としては、例えば、特許文献１、特許文献２、特許文献３、特許文献４が知られている。
【特許文献１】特許第３０６４８０１号公報
【特許文献２】特開平１０−３２１０７１号公報
【特許文献３】特開２００２−３５８８５９号公報
【特許文献４】特開平１１−６６９８７号公報
【発明の開示】
【発明が解決しようとする課題】
【０００８】
しかしながら、上記従来の構成では、電気接点９のＯＮ・ＯＦＦする際に発生するアーク及び熱等により発生する酸化物等により、電気接点９の表面がこの酸化物に覆われ、電気接点の接触不良が発生するという問題点を有していた。
【０００９】
本発明は上記従来の問題点を解決するもので、電気接点の表面上に酸化物が付着しても、電気接点の導通を確保できる信頼性の高い電気接点を供給することを目的とするものである。
【課題を解決するための手段】
【００１０】
上記目的を達成するために本発明は、特に、電気接点の表面上に微細な凹凸を設け、可動接点又は固定接点の一方を傾けて接触させ、最初に接触する部分は凹凸の深さを深く、凸部の先端を潰れやすくし、最後に接触する部分は凹凸を浅くした電気接点であって、この電気接点のＯＮ・ＯＦＦを繰り返し、凸部の接点荷重等により、順次、一方から他方に微細な凸部が潰れていき、新しい凸部が接触するようになった電気接点の構成である。
【発明の効果】
【００１１】
本発明の車両用スイッチ及びリレー等に使用する電気接点は、電気接点の表面上に微細な凹凸部を設け、一対の可動接点と固定接点のどちらか一方を傾けて接触させ、最初に接触する部分は凹凸の深さを深くして先端の凸部を潰れやすくし、最後に接触する部分は凹凸を浅くし、電気接点のＯＮ・ＯＦＦを繰り返し、電気接点表面の接点荷重等により、一方から他方に順次、微細な凸部が潰れていき、新しい凸部が接触するようにした電気接点の構成にすることにより、電気接点の表面上に酸化物が付着しても、電気接点の導通を確保できる電気接点を供給することができるとともに、電気接点の接触の安定性を図ることができ、電気接点の導通の信頼性を高めることができるという作用効果を奏するものである。
【発明を実施するための最良の形態】
【００１２】
（実施の形態１）
以下、本発明の実施の形態１における車両用スイッチ及びリレー等に使用する電気接点について図面を参照しながら説明する。
【００１３】
図１は本発明の実施の形態１における電気接点の斜視図、図２は同実施の形態における電気接点の接触状態を示す側面図、図３は同実施の形態における電気接点の初期接触状態を示す拡大模式図、図４は同実施の形態におけるＯＮ・ＯＦＦをｎ１回繰り返した後の電気接点の接触状態の拡大模式図、図５は同実施の形態におけるＯＮ・ＯＦＦをｎ１回繰り返した後の電気接点の接触部が広がった様子を示す斜視図、図６は同実施の形態におけるＯＮ・ＯＦＦをｎ２回繰り返した後の電気接点の接触状態を示す拡大模式図、図７は同実施の形態におけるＯＮ・ＯＦＦをｎ２回繰り返した後の電気接点の接触部が広がった様子を示す斜視図である。但しＯＮ・ＯＦＦ回数を表すｎ１、ｎ２は、ｎ１よりもｎ２の方が大きな数字である。
【００１４】
図１において、２は銅材等の導電性材料からなる導電板であり、この導電板２には電気接点１が、かしめ又は溶接等で取り付けられている。電気接点１には、放電又は金型プレス加工等により電気接点表面に微細な凹凸部３ａ、３ｂが設けられている。微細な凹凸部３ａは深く凹凸が設けられており、微細な凹凸部３ｂは浅い凹凸が設けられており、微細な凹凸部３ａから微細な凹凸部３ｂにかけて、徐々に凹凸の深さ（高さ）が浅くなっている。図１の電気接点は、対向する可動接点、固定接点どちらにも使われる。
【００１５】
図２は、本発明の電気接点が接触した時の接触状態を示したものである。図１の電気接点１を可動接点、固定接点、どちらにも用いている。また、可動接点又は固定接点の一方に所定の角度を設けて非平行にし片当りするように接触させ、まず初期段階で可動接点側の微細な凹凸部３ａと固定接点側の微細な凹凸部３ａが接触し、接触動作（ＯＮ・ＯＦＦ）を何回か繰り返した後に可動接点側の微細な凹凸部３ｂと固定接点側の微細な凹凸部３ｂが接触するように構成されている。
【００１６】
図３は、図２の本発明の電気接点を接触させた初期のａ部の拡大模式図である。初期は電気接点１上の凸部Ａ４ａと凸部Ａ４ｂが接触し、一点で接触している。
【００１７】
図４はＯＮ・ＯＦＦをｎ１回繰り返した後の電気接点１の接触部である（図２の）ａ部の拡大模式図で、電気接点１の凸部Ａ４ａと凸部Ａ４ｂが潰れ、新しい接触部分である凸部Ｂ５ａと凸部Ｂ５ｂが接触するようになっている。
【００１８】
さらに最初に接触する一方の凸部から後で接触する他方の凸部の高さ（凹凸の深さ）は図２に示すように高い凸部から次第に順次低く形成してあり、当初接触する部分の凸部が潰れた後、順次他方の凸部が接触する構成となっている。
【００１９】
図５は、図４の時の電気接点１の接触部の斜視図で、ＯＮ・ＯＦＦをｎ１回繰り返した後の電気接点１の接触状態を示す斜視図である。図２の一点で接触しているものよりも、接触部分である斜線部の接触部Ａ７の面積が増えた図であり、電気接点１上の新しい部分が接触するようになっている。
【００２０】
図６は、ＯＮ・ＯＦＦをｎ１回繰り返した後の電気接点１の接触部である（図２）のａ部の拡大模式図で、電気接点１の凸部Ａ４ａと凸部Ａ４ｂがさらに潰れ、また、凸部Ｂ５ａと凸部Ｂ５ｂも潰れ、新しい接触部分である凸部Ｃ６ａと凸部Ｃ６ｂが接触するようになっている。
【００２１】
図７は、図６の時の電気接点１の接触部の斜視図と同様で、ＯＮ・ＯＦＦをｎ２回繰り返した後の電気接点１の接触状態を示す斜視図で、図５の接触部分である斜線部の接触部Ａ７よりさらに図７の接触部である斜線部の接触部Ｂ８の面積が増えた模式図であり、電気接点１上の新しい部分が接触するようになっている。
【００２２】
以上のような構成により、電気接点１上に微細な凹凸部３ａ、３ｂを設け、可動接点又は固定接点の一方を傾けて接触させ、最初に接触する微細な凹凸部３ａは凹凸の深さを深く、凸部先端を潰れやすくし、最後に接触する微細な凹凸部３ｂは凹凸を浅くし、電気接点１のＯＮ・ＯＦＦを繰り返し、先端部の接点荷重等により、一方から他方へ順次、微細な凸部Ａ４ａ、４ｂ、凸部Ｂ５ａ、５ｂが順次潰れていき、新しい凸部Ｃ６ａ、６ｂが接触するようになった電気接点の構成である。これにより、電気接点１の表面上に酸化物が付着しても、電気接点１上の新しい接触部が当る為、電気接点１の導通を確保できる電気接点を供給することができるとともに、電気接点１の接触の安定性を図ることができ、電気接点の導通の信頼性を高めることができるという作用効果が得られる。
【００２３】
なお、本実施の形態において、可動接点又は固定接点の一方を傾けないで、電気接点１の微細な凹凸部３ａ、３ｂを一様な凹凸にする。又は、電気接点１の表面にテーパをつけて製作し、微細な凹凸部３ａ、３ｂを設け、接点高さが高い部分に微細な凹凸部３ａは深く凹凸が設けられており、接点高さが低い部分には微細な凹凸部３ｂは浅い凹凸が設けられており、微細な凹凸部３ａから微細な凹凸部３ｂにかけて、徐々に凹凸の深さが浅くなっている電気接点とすることにより、特に本実施の形態と同様の作用効果が得られる。
【産業上の利用可能性】
【００２４】
本発明の車両用スイッチ及びリレー等に使用する電気接点は、電気接点上に微細な凹凸部を設け、可動接点又は固定接点の一方を傾けて接触させ、最初に接触する部分は凹凸の深さを深く、凸部を潰れやすくし、最後に接触する部分は凹凸を浅くし、電気接点のＯＮ・ＯＦＦを繰り返し、接点荷重等により、順次、微細な凸部が潰れていき、新しい凸部が接触するようになった電気接点の構成にすることにより、電気接点上に酸化物が付着しても、電気接点の導通を確保できる電気接点を供給することができるとともに、電気接点の接触の安定性を図ることができ、電気接点の導通の信頼性を高めることができる電気接点として有用である。
【図面の簡単な説明】
【００２５】
【図１】本発明の実施の形態１における電気接点の斜視図
【図２】同実施の形態における電気接点の接触状態を示す側面図
【図３】同実施の形態における電気接点の初期接触状態を示す拡大模式図
【図４】同実施の形態におけるＯＮ・ＯＦＦをｎ１回繰り返した後の電気接点の接触状態を示す拡大模式図
【図５】同実施の形態におけるＯＮ・ＯＦＦをｎ１回繰り返した後の電気接点の接触部が広がった状態を示す斜視図
【図６】同実施の形態におけるＯＮ・ＯＦＦをｎ２回繰り返した後の電気接点の接触状態を示す拡大模式図
【図７】同実施の形態におけるＯＮ・ＯＦＦをｎ２回繰り返した後の電気接点の接触部が広がった状態を示す斜視図
【図８】従来の電気接点を示す斜視図
【図９】従来の電気接点の接触状態を示す側面図
【符号の説明】
【００２６】
１  電気接点
２  導電板
３ａ、３ｂ  微細な凹凸部
４ａ、４ｂ  凸部Ａ
５ａ、５ｂ  凸部Ｂ
６ａ、６ｂ  凸部Ｃ
７  接触部Ａ
８  接触部Ｂ
９  電気接点
【図１】
2007294216.tif 000003
【図２】
2007294216.tif 000004
【図３】
2007294216.tif 000005
【図４】
2007294216.tif 000006
【図５】
2007294216.tif 000007
【図６】
2007294216.tif 000008
【図７】
2007294216.tif 000009
【図８】
2007294216.tif 000010
【図９】
2007294216.tif 000011